(57)【要約】【課題】コードの上方出し姿勢と下方出し姿勢とで本体部を耳介に良好に装着できるヘッドホン(50)を提供する。【解決手段】ハウジング(1)とその一面側に形成された筒状の音筒部(1b)とを有する本体部(HT)と、スピーカ(4)と、ハウジングのコード導出部(CD)から導出されたコード(7)と、を備える。本体部(HT)を他面側から見たときに、ハウジングは、コード導出部を通り音筒部の中心線(CL5)と交わる第１の直線(LN1)の一方(P1)側であって、中心線と第１の直線との交点(KT)を通り第１の直線に直交する第２の直線(Ln2)に対してコード導出部よりも遠い側に、交点(KT)から遠ざかる方向に突出する第１の頂部(A3)と、第１の直線の他方(P2)側であって、第２の直線に対してコード導出部よりも遠い側に、交点から遠ざかる方向に突出する第２の頂部(A2)と、を有する形状で形成されている。【選択図】図１０
2011101224.tif 000002
【特許請求の範囲】
【請求項１】
ハウジングと、前記ハウジングの一面側に形成されイヤーピースが着脱自在に装着される筒状の音筒部と、を有する本体部と、
前記ハウジングまたは前記音筒部に取り付けられたスピーカユニットと、
前記ハウジングの側面に設けられたコード導出部から外方に導出されたコードと、を備え、
前記本体部を他面側からみたときに、
前記ハウジングは、
前記コード導出部を通り前記音筒部の中心線と交わる第１の直線に対する一方側であって、前記中心線と前記第１の直線との交点を通り前記第１の直線に直交する第２の直線に対して前記コード導出部よりも遠い側に、前記交点から遠ざかる方向に突出する第１の頂部と、前記第１の直線に対する他方側であって、前記第２の直線に対して前記コード導出部よりも遠い側に、前記交点から遠ざかる方向に突出する第２の頂部と、を有する形状で形成されているヘッドホン。
【請求項２】
前記音筒部にイヤーピースを装着し、前記イヤーピースを外耳道内に挿入すると共に前記本体部を耳甲介に装着した状態で、
前記ハウジングは、前記第１の頂部または前記第２の頂部が耳甲介における頭部後方側の内壁に当接可能に形成されていることを特徴とする請求項１記載のヘッドホン。
【請求項３】
前記本体部を他面側からみたときに、
前記交点から前記第１の頂部の頂点までの第１の距離と、前記交点から前記第２の頂部の頂点までの第２の距離とが略等しいことを特徴とする請求項１又は請求項２記載のヘッドホン。
【請求項４】
前記本体部を他面側からみたときに、
前記交点と前記第１の頂部の頂点とを繋ぐ第１の線分と前記第１の直線とがなす角度と、前記交点と前記第２の頂部の頂点とを繋ぐ第２の線分と前記第１の直線とがなす角度と、が略等しいことを特徴とする請求項１〜３のいずれか１項に記載のヘッドホン。
【請求項５】
前記本体部を前記他面側からみたときに、
前記コード導出部から前記交点までの第３の距離が、前記第１の距離又は前記第２の距離と略等しいことを特徴とする請求項１又は請求項２記載のヘッドホン。
【請求項６】
前記ハウジングの前記他面側の表面に、前記第２の直線の方向を上下方向とする姿勢で標章が表示されていることを特徴とする請求項１〜５のいずれか１項に記載のヘッドホン。
【請求項７】
請求項１〜６のいずれか１項に記載のヘッドホンを左耳用と右耳用との２つ備えていることを特徴とするステレオヘッドホン。
【発明の詳細な説明】
【技術分野】
【０００１】
本発明は、ヘッドホン及びステレオヘッドホンに係り、特に、ヘッドホンの本体部を、その本体部からコードを下方に導出する姿勢と上方に導出する姿勢との両方の姿勢で良好に耳介に装着できるヘッドホン及びステレオヘッドホンに関する。
【背景技術】
【０００２】
以下の説明において、特にことわりがない限り、「ヘッドホン」は左右の耳の内の一方に装着する単体を意味し、「ステレオヘッドホン」とは、左右の耳それぞれに装着する一対のヘッドホンを備えたものを意味する。いずれも、入力される、あるいは出力する音声信号のチャネル数が限定されるものではない。
【０００３】
携帯音楽再生装置の普及により、その装置に接続するヘッドホンも、形状やデザインに種々工夫が施されてヘッドホン市場は活況を呈している。
ステレオヘッドホンは、装着態様によりいくつかの種類に分類される。
具体的には、左右のヘッドホンの本体部同士を連結するヘッドバンドを備えて頭部に装着するオーバーヘッドタイプや、左右のヘッドホンの本体部が分離しており、それぞれを耳介の内側にその本体部を収めるように装着するインナーイヤータイプが主に知られている。
インナーイヤータイプの内、本体部から突き出した音筒とその音筒の先端側に装着されるイヤーピースとを備え、音筒をイヤーピースと共に外耳道内に挿入して使用するタイプがあり、これは特にカナルタイプと称されて１つの商品ジャンルを形成している。
【０００４】
また、ヘッドホンは、耳介への装着状態において、本体部からのコードの導出方向の違いで、大きく二つに分類される。
具体的には、耳介に収められた本体部から斜め前下方向に導出するタイプと、耳介に収められた本体部から斜め前上方向に導出するタイプとに分類される。
インナーイヤータイプのヘッドホンは、カナルタイプであるか否かに拘わらず一般的にこの分類が適用できる。
以下、便宜的に、前者を下方出しタイプと称し、後者を上方出しタイプと称する。また、コードの導出方向の説明として、前者を上方出し、後者を下方出しとして記載する。
【０００５】
コードの下方出しについての例は特許文献１に記載されており、上方出しの例については特許文献２に記載されている。
【先行技術文献】
【特許文献】
【０００６】
【特許文献１】特開２００９−０４４４２９号公報
【特許文献２】特開２００１−２５８０８７号公報
【発明の概要】
【発明が解決しようとする課題】
【０００７】
下方出しタイプは、ヘッドホンとして従前からの一般的な形態であり、装着が容易で自然であることが特徴である。
一方、上方出しタイプは、本体からのコードを、耳介の頭部前方から上側を経て頭部後方に引き回すものであり、下方出しタイプと比べ、若干装着に手間がかかる反面、運動の際やコードが何かに引っ掛かった際も本体部が耳介から外れにくく、また、コードの所謂擦れ音が、途中の耳介に吸収されて聞こえ難くなるという特徴がある。
【０００８】
従来のヘッドホンでは、各ヘッドホンの構造が下方出しタイプか上方出しタイプかのいずれかに限定されるようになっているので、ユーザは使い分けをすることができず、使い分けする場合には、それぞれのタイプのヘッドホンを個別に持つ必要があった。
また、下方出しタイプのヘッドホンを、コードが上方出しとなるような姿勢で耳介に装着することもヘッドホンによっては可能であるが、通常、装着感触は良好ではない。
ユーザからは、複数のヘッドホンを持たずに、使用時の装着環境や気分に応じて、コード下方出しでの装着かコードの上方出しでの装着のいずれかを自由に選択できることが望まれている。
【０００９】
そこで、本発明が解決しようとする課題は、コードの上方出し姿勢と下方出し姿勢との両方の姿勢で、本体部を耳介に良好に装着できるヘッドホン及びステレオヘッドホンを提供することにある。
【課題を解決するための手段】
【００１０】
上記の課題を解決するために、本願発明は手段として次の１）〜７）の構成を有する。
１）  ハウジング(1)と、前記ハウジング(1)の一面側に形成されイヤーピース(6)が着脱自在に装着される筒状の音筒部(1b)と、を有する本体部(HT)と、
前記ハウジング(1)または前記音筒部(1b)に取り付けられたスピーカユニット(4)と、
前記ハウジング(1)の側面(1s)に設けられたコード導出部(CD)から外方に導出されたコード(7)と、を備え、
前記本体部(HT)を他面側からみたときに、
前記ハウジング(1)は、
前記コード導出部(CD)を通り前記音筒部(1b)の中心線(CL5)と交わる第１の直線(LN1)に対する一方(P1)側であって、前記中心線(CL5)と前記第１の直線(CN1)との交点(KT)を通り前記第１の直線(LN1)に直交する第２の直線(Ln2)に対して前記コード導出部(CD)よりも遠い側に、前記交点(KT)から遠ざかる方向に突出する第１の頂部(A3)と、前記第１の直線(LN1)に対する他方(P2)側であって、前記第２の直線(Ln2)に対して前記コード導出部(CD)よりも遠い側に、前記交点(KT)から遠ざかる方向に突出する第２の頂部(A2)と、を有する形状で形成されているヘッドホン(50)である。
２）  前記音筒部(1b)にイヤーピース(6)を装着し、前記イヤーピース(6)を外耳道(E5)内に挿入すると共に前記本体部(HT)を耳甲介(E3)に装着した状態で、
前記ハウジング(1)は、前記第１の頂部(A3)または前記第２の頂部(A2)が耳甲介(E3)における頭部後方側の内壁(ER1)に当接可能に形成されていることを特徴とする１）に記載のヘッドホン(50)である。
３）  前記本体部(HT)を他面側からみたときに、
前記交点(KT)から前記第１の頂部(A3)の頂点(AP3)までの第１の距離(KR3)と、前記交点(KT)から前記第２の頂部(A2)の頂点(AP2)までの第２の距離(KR2)とが略等しいことを特徴とする１）又は２）記載のヘッドホン(50)である。
４）  前記本体部(HT)を他面側からみたときに、
前記交点(KT)と前記第１の頂部(A3)の頂点(AP3)とを繋ぐ第１の線分(SB3)と前記第１の直線(LN1)とがなす角度(αa)と、前記交点(KT)と前記第２の頂部(A2)の頂点(AP2)とを繋ぐ第２の線分(SB2)と前記第１の直線(LN1)とがなす角度(αb)と、が略等しいことを特徴とする１）〜３）のいずれかに記載のヘッドホン(50)である。
５）  前記本体部(HT)を前記他面側からみたときに、
前記コード導出部(CD)から前記交点(KT)までの第３の距離(SB1)が、前記第１の距離(SB3)又は前記第２の距離(SB2)と略等しいことを特徴とする１）又は２）記載のヘッドホン(50)である。
６）  前記ハウジング(1)の前記他面側の表面に、前記第２の直線(LN2)の方向を上下方向とする姿勢で標章(M)が表示されていることを特徴とする１）〜５）のいずれかに記載のヘッドホン(50)。
７）  １）〜６）のいずれかに記載のヘッドホン(50)を左耳用と右耳用との２つ備えていることを特徴とするステレオヘッドホン(51)である。
【発明の効果】
【００１１】
本発明のヘッドホン及びステレオヘッドホンによれば、コードの上方出し姿勢と下方出し姿勢との両方の姿勢で、本体部を耳介に良好に装着できる、という効果が得られる。
【図面の簡単な説明】
【００１２】
【図１】本発明のヘッドホンの実施例を示す後面側から見た外観斜視図である。
【図２】本発明のヘッドホンの実施例を示す断面図である。
【図３】本発明のヘッドホンの実施例を示す後面図である。
【図４】本発明のヘッドホンの実施例を示す側面図である。
【図５】本発明のヘッドホンの実施例を示す天面図である。
【図６】本発明のステレオヘッドホンの実施例を示す図である。
【図７】本発明のヘッドホンの実施例を耳に装着した状態を説明するための図である。
【図８】本発明のヘッドホンの実施例の表示について説明するための模式図である。
【図９】本発明のヘッドホンの実施例の表示について説明するための他の模式図である。
【図１０】本発明のヘッドホンの実施例を説明するための模式図である。
【発明を実施するための形態】
【００１３】
本発明の実施の形態を、好ましい実施例により図１〜図１０を用いて説明する。
【００１４】
実施例のヘッドホン５０は、カナルタイプのヘッドホンである。
図１及び図２に示されるように、ヘッドホン５０は、後面側が開放端部１ａとされると共に前面側に貫通孔１ｅが形成されたハウジング１とハウジング１の前面側に突出して形成され前記貫通孔１ｅに連通する孔１ｂｎを有する円筒状の音筒部１ｂとを有する本体部ＨＴと、ハウジング１の開放端部１ａを塞ぐように、音質調整用のメッシュ３を挟み開放端部１ａの開口の一部を塞ぐように取り付けられたオーナメント２と、ハウジング１の前面側に形成された筒状の音筒部１ｂの先端に配設されたスピーカユニット４と、を有している。
ハウジング１は、中心軸線ＣＬ２を有する中空の略三角錐台形状に形成されている。
音筒部１ｂは、中心軸線ＣＬ５が中心線ＣＬ２と同軸とされた筒状に形成されている。実施例の音筒部１ｂは円筒状に形成されている。
中心軸線ＣＬ５と中心線ＣＬ２とは、同軸のものに限らない。後述する２つの姿勢での装着に支障がない範囲で、平行に又は傾斜するように設定されていてもよい。
【００１５】
スピーカユニット４は、スピーカユニット４からの音を通過して外部に放出するための複数の小孔５ａが底面に形成されたカップ状のユニットホルダ５により音筒部１ｂに固定されている。
具体的には、スピーカユニット４は、ユニットホルダ５内に収められ、音筒部１ｂの先端に押しつけられた状態で、ユニットホルダ５の開放端側の縁部５ｂが音筒部１ｂに形成された周溝１ｂ１にかしめられて音筒部１ｂに固定されている。
【００１６】
音筒部１ｂには別の周溝１ｂ２が形成されており、ゴムなどで形成されたイヤーピース６がこの周溝１ｂ２に弾性的に係合してヘッドホン５０に対して着脱自在とされている。
【００１７】
スピーカユニット４の背面側となる音筒部１ｂ及びハウジング１の内部は、いわゆるバックキャビティＢＣとして空間が形成されている。
バックキャビティＢＣには、一端側がスピーカユニット４に接続され、スピーカユニット４に音声信号を供給するコード７が通されている。
コード７の他端側は、ブッシング８に案内支持されてバックキャビティＢＣを経てハウジング１の側面１ｓのコード導出部ＣＤから外部に引き出されている。
【００１８】
図２において、バックキャビティＢＣ内に記載されたコード７のふくらみは、抜け防止の為に設けられた玉部７ａである。
【００１９】
次に、ハウジング１の形状について図３〜図５を主に用いて詳述する。
【００２０】
図３から明らかなように、ハウジング１は、前後方向（図２参照）の後方側から見たときに、３つの頂部を有する略三角形状に形成されている。
図３において３つの頂部は、Ａ１，Ａ２，Ａ３で示される。具体的には、図３において、１つの頂部をＡ１として反時計回りに頂部Ａ２，頂部Ａ３の順に示される。
また、頂部Ａ１から図３の下方に向けてブッシング８及びコード７が延出している。
【００２１】
また、図３において、ハウジング１は、少なくともコード７の延出方向の中心線ＣＬ１に対して左右線対称に形成されている。
すなわち、図３において、ハウジング１は、頂部Ａ１を頂点とする略二等辺三角形に形成されている。
この略二等辺三角形は、図３に示されるように、中心線ＣＬ１上に各頂部Ａ１〜Ａ３からの距離が等しくなる中心点ＣＴを有する略正三角形であってもよい。
ここで、略二等辺三角形または略正三角形とは、各辺が必ずしも直線でなくてもよく、図３のように外方にふくらむ凸曲線，内方にへこむ凹曲線，又は凸曲線と凹曲線との組み合わせなどとされているものも含む。
また、頂部Ａ１〜Ａ３も、鋭角で屈曲するような尖鋭形状に形成されずとも、図３に示すように先端にＲが形成されて緩やかな頂部であってもよい。
【００２２】
実施例において、中心点ＣＴは音筒部１ｂの中心線ＣＬ５（図２参照）と交わる。
【００２３】
図４及び図５に示されるように、ハウジング１は、開放端部１ａ側から前方に向かうに従ってすぼまるように形成されている。また、図４に示したように、開放端部１ａから前方に向かい前後方向の位置Ｐまでは、頂部Ａ１〜Ａ３を明確に有する断面が略三角形状に形成されている。
すなわち、図４で示される、ハウジング１の側面１ｓにおける軸ＣＬ２方向の範囲ＡＲにおいて、断面が略三角形状に形成されている。
耳介への装着については後述するが、この範囲ＡＲは、本体部１を耳甲介Ｅ３に収めた状態で、頂部Ａ２，Ａ３が後述のように耳介の内壁ＥＲ１に当接する位置に設定される（図７参照）。範囲ＡＲは、例えば、４ｍｍ〜６ｍｍの範囲で設定されると良い。
【００２４】
次に、実施例のヘッドホン５０を左右の耳用に一対備えたステレオヘッドホン５１を耳介に装着した状態について図６及び図７（Ｌ１），（Ｌ２），（Ｒ１），（Ｒ２）を用いて説明する。
【００２５】
まず、実施例のステレオヘッドホン５１について図６を用いて説明する。
ステレオヘッドホン５１は、上述した実施例のヘッドホン５０を一対備えている。
一対のヘッドホン５０の一方を左耳用のヘッドホン５０Ｌとし、他方を右耳用のヘッドホン５０Ｒとする。ヘッドホン５０Ｌと５０Ｒとは、同じものが利用できる。左右を区別する場合は、後述する表示の向きや、ユニバーサルデザインに基づく区別（突起等）で行うことができる。
【００２６】
ステレオヘッドホン５１は、左右の耳用の一対のヘッドホン５０Ｌ，５０Ｒと、各ヘッドホン５０Ｌ，５０Ｒからそれぞれ導出されたサブコード２Ｌ，２Ｒと、サブコード２Ｌ，２Ｒを連結する分岐部３と、分岐部３を一端側に有するメインコード４と、メインコードの他端側に設けられ音声再生装置に接続されるプラグ５と、を備えている。
【００２７】
図７（Ｌ１），（Ｌ２），（Ｒ１），（Ｒ２）は、実施例のステレオヘッドホン５１が備える実施例のヘッドホン５０を耳介ＥＲ内に装着した状態を示し、図７（Ｌ１），（Ｌ２）は左耳への装着を、また図７（Ｒ１），（Ｒ２）は右耳への装着を示している。
さらに具体的には、図７（Ｌ１）及び図７（Ｒ１）は、コードの下方向出しでの装着を示し、図７（Ｌ２）及び図７（Ｒ２）は、コードの上方向出しでの装着を示す。
また、図７（Ｅ）は、耳介ＥＲの名称について説明するための図である。以下、図７（Ｅ）に基づいて、Ｅ１：耳珠，Ｅ２：対珠，Ｅ３：耳甲介，Ｅ４：対耳輪脚，Ｅ５：外耳道，Ｅ６：珠間切痕，Ｅ７：耳輪とする。
【００２８】
まず、ヘッドホン５０を左耳に装着した場合を、図７（Ｌ１）及び（Ｌ２）を用いて説明する。
ヘッドホン５０は、外耳道Ｅ５〔図７（Ｅ）参照〕内にイヤーピース６（図１及び図２参照）が挿入され、本体部１が耳甲介Ｅ３に収められるようにして耳介ＥＲの内側に装着される。
【００２９】
ここで本体部１の姿勢は、コード下方向出しにおいては、図７（Ｌ１）に示されるように、ブッシング８が珠間切痕Ｅ６に位置しコード７が前斜め下方に導出される姿勢となる。
すなわち、本体部１は、その頂部Ａ１が珠間切痕Ｅ６に位置する姿勢になっている。
この姿勢において、頂部Ａ２が、耳甲介Ｅ３の後方側の内壁ＥＲ１に当接すると共に頂部Ａ２に対向する辺Ｈ２（図３参照）が耳珠Ｅ１側に当接するので、本体部１は、耳甲介Ｅ３の前方側の壁と内壁ＥＲ１との間に良好に保持される。
【００３０】
また、コード上方向出しにおいては、図７（Ｌ２）に示されるように、ブッシング８が対耳輪脚Ｅ４に接近するように位置してコード７が前斜め上方に導出される姿勢となる。コード７は、さらに対耳輪脚Ｅ４の頭部前方側から上方側を経て耳輪Ｅ７の裏側に引き回される。
すなわち、本体部１は、その頂部Ａ２が珠間切痕Ｅ６に位置する姿勢になっている。
この姿勢において、頂部Ａ３が、耳甲介Ｅ３の後方側の内壁ＥＲ１に当接すると共に頂部Ａ３に対向する辺Ｈ３（図３参照）が耳珠Ｅ１側に当接するようになっているので、本体部１は、耳甲介Ｅ３の前方側の壁と内壁ＥＲ１との間に良好に保持される。
【００３１】
次に、ヘッドホン５０を右耳に装着した場合を、図７（Ｒ１）及び（Ｒ２）を用いて説明する。
ヘッドホン５０は、外耳道Ｅ５〔図７（Ｅ）参照〕内にイヤーピース６（図１及び図２参照）が挿入され、本体１が耳甲介Ｅ３に収められるようにして耳介ＥＲの内側に装着される。
【００３２】
ここで本体１の姿勢は、コード下方向出しにおいては、図７（Ｒ１）に示されるように、ブッシング８が珠間切痕Ｅ６に位置しコード７が前斜め下方に導出される姿勢となる。
すなわち、本体部１は、その頂部Ａ１が珠間切痕Ｅ６に位置する姿勢になっている。
この姿勢において、頂部Ａ３が、耳甲介Ｅ３の後方側の内壁ＥＲ１に当接すると共に頂部Ａ３に対向する辺Ｈ３（図３参照）が耳珠Ｅ１側に当接するので、本体部１は、耳甲介Ｅ３の前方側の壁と内壁ＥＲ１との間に良好に保持される。
【００３３】
また、コード上方向出しにおいては、図７（Ｒ２）に示されるように、ブッシング８が対耳輪脚Ｅ４に接近するように位置してコード７が前斜め上方に導出される姿勢となる。コード７は、さらに対耳輪脚Ｅ４の頭部前方側から上方側を経て耳輪Ｅ７の裏側に引き回される。
すなわち、本体部１は、その頂部Ａ３が珠間切痕Ｅ６に位置する姿勢になっている。
この姿勢において、頂部Ａ２が、耳甲介Ｅ３の後方側の内壁ＥＲ１に当接すると共に頂部Ａ２に対向する辺Ｈ２（図３参照）が耳珠Ｅ１側に当接するので、本体部１は、耳甲介Ｅ３の前方側の壁と内壁ＥＲ１との間に良好に保持される。
【００３４】
すなわち、実施例のヘッドホン５０は、左耳への装着において、コード下方出し姿勢では頂部Ａ２が、また、コード上方出し姿勢では頂部Ａ３が、外耳道Ｅ５を基準にして耳珠Ｅ１と反対側にある内壁ＥＲ１に当接するようになっている。
また、右耳への装着において、コード下方出し姿勢では頂部Ａ３が、また、コード上方出し姿勢では頂部Ａ２が、外耳道Ｅ５を基準にして耳珠Ｅ１と反対側にある内壁ＥＲ１に当接するようになっている。
コード導出部ＣＤは、コード７がコード下方向出し姿勢で珠間切痕Ｅ６に位置し、コード上方出し姿勢で対耳輪脚Ｅ４に近く位置することから、本体部１の頂部Ａ１に位置しているのが最も望ましい。
【００３５】
上述のように、実施例のヘッドホン５０は、耳介ＥＲへの装着において、コード７の下方出し姿勢と上方出し姿勢との両方の姿勢で、良好な感触をもって耳介ＥＲ内に装着される。
また、実施例のステレオヘッドホン５１は、備えた一対のヘッドホン５０の外形形状が同じであっても、左右の耳に対し、コードの上方出し姿勢か下方出し姿勢かにかかわらず良好に装着可能になっている。
【００３６】
実施例のヘッドホン５０に対し、ロゴマークなどの標章やデザイン上の模様を表示をする場合について図８（ａ）〜図８（ｃ）を用いて説明する。
【００３７】
図８（ａ）〜図８（ｃ）は、左耳に装着すべきヘッドホン５０について、コード７の導出方向と本体部１の外形を模式的に表した図である。
図８（ａ）は、コード７の導出方向となる軸線ＣＬ６を紙面の水平線ＣＬと同じ方向に位置させた姿勢を示す。
図８（ｂ）は、コードの下方向出しの姿勢を示す。この姿勢では、軸線ＣＬ６は、水平線ＣＬに対して反時計まわりにθａ傾斜している。θａは、例えば６０度である。
図８（ｃ）は、コードの上方向出しの姿勢を示す。この姿勢では、軸線ＣＬ６は、水平線ＣＬに対して時計まわりにθｂ傾斜している。θｂは、例えば６０度である。
【００３８】
本体部１には、例えば、このヘッドホン５０またはステレオヘッドホン５１の型番，品名，製造会社のロゴマークなどが表示される。より具体的には、数字や記号などを含む文字列やデザインされたマークや模様などである。
このような表示される内容のことを、以下では便宜的に「表示内容Ｍ」と称することにする。
【００３９】
表示内容Ｍが、文字列のように判読する際に望まれる向きや姿勢がある場合（例えばアルファベットであれば正立して読める向き、ロゴであれば標章として許容される姿勢）、次のように本体部１に表示されているとよい。
すなわち、表示内容Ｍは、軸線ＣＬ６上、または、軸線ＣＬ６と平行に表示されているとよい。具体例として図８（ａ）〜（ｃ）では、表示内容Ｍを文字列「ＡＢＣ」としている。表示内容Ｍは、軸線ＣＬ６に平行に表示されているものである。
この場合、本体部１の耳への装着姿勢がコードの上方出し姿勢であっても下方出し姿勢であっても、表示内容Ｍが傾斜しつつも反転はせずユーザに良好に視認される。従って、ユーザは直ちに表示を認識、あるいは判別することができる。
ここで、表示内容Ｍの姿勢が少なくとも反転しないためには、コード下方出しでは軸線ＣＬ６からさらに反時計方向に（９０°−θａ）だけ傾斜していてもよく、コード上方出しでは軸線ＣＬ６からさらに時計方向に（９０°−θｂ）だけ傾斜していてもよい。
すなわち、図８（ａ）に示されるように、表示内容Ｍは、軸線ＣＬ６に対し、反時計まわりに（９０°−θａ）、且つ、時計まわりに（９０°−θｂ）傾斜した角度範囲Ｐ内で傾斜していればよい。
軸線ＣＬ６に対して反時計まわりに（９０°−θａ）度傾けた表示を表示内容Ｍ１とし、図８（ｂ）に示す。
軸線ＣＬ６に対して時計まわりに（９０°−θｂ）度傾けた表示を表示内容Ｍ２とし、図８（ｃ）に示す。
【００４０】
右耳に装着すべきヘッドホン５０については、図８に対してコード７と本体部１とが左右反転した姿勢になるので、図８でコード導出部ＣＤに近い側から順に「ＡＢＣ」と記載された文字列は、コード導出部ＣＤに対して遠い側からコード導出部ＣＤ側に向けて順に「ＡＢＣ」と記載される。
これについて、図９（ａ）〜（ｃ）を用いて説明する。
図９（ａ）〜図９（ｃ）は、右耳に装着すべきヘッドホン５０について、コード７の導出方向と本体部１の外形を模式的に表した図である。
図９（ａ）は、コード７の導出方向となる軸線ＣＬ６を紙面の水平線ＣＬと同じ方向に位置させた姿勢を示す。
図９（ｂ）は、コードの下方向出しの姿勢を示す。この姿勢では、軸線ＣＬ６は、水平線ＣＬに対して時計まわりにθａ傾斜している。θａは、例えば６０度である。
図９（ｃ）は、コードの上方向出しの姿勢を示す。この姿勢では、軸線ＣＬ６は、水平線ＣＬに対して反時計まわりにθｂ傾斜している。θｂは、例えば６０度である。
この右耳に装着すべきヘッドホン５０において、表示内容Ｍの姿勢が反転しないためには、コード下方出しでは軸線ＣＬ６からさらに時計まわり方向に（９０°−θａ）だけ傾斜していてもよく、コード上方出しでは軸線ＣＬ６からさらに反時計まわり方向に（９０°−θｂ）だけ傾斜していてもよい。
すなわち、図９（ａ）に示されるように、表示内容Ｍは、軸線ＣＬ６に対し、時計まわりに（９０°−θａ）、且つ、反時計まわりに（９０°−θｂ）傾斜した角度範囲Ｑ内で傾斜していればよい。
軸線ＣＬ６に対し時計まわりに（９０°−θａ）度傾けた表示を表示内容Ｍ１とし、図９（ｂ）に示す。
反時計まわりに（９０°−θｂ）度傾けた表示を表示内容Ｍ２とし、図９（ｃ）に示す。
【００４１】
一般に、耳の形状や寸法には個人差が大きく、また、ヘッドホンの装着において許容されるヘッドホンの形状には裕度がある。すなわち、上記角度θａ及びθｂは、特定の数値以外使用できないというものではなく、ある程度の範囲内に設定されていれば、実用上使用は可能である。
具体的には、θａ，θｂは、それぞれ６０°で設定されていると実用上最も良好に使用でき、それぞれ６０°を基準に時計まわり方向及び反時計まわり方向に、実用上支障のない角度範囲内に設定されていればよい。
実用上支障のない角度範囲は、６０°を基準として例えば±１５°である。
【００４２】
本発明の実施例は、上述した構成及び手順に限定されるものではなく、本発明の要旨を逸脱しない範囲において変形例としてもよいのは言うまでもない。
実施例は、スピーカユニット４が音筒部１ｂの先端に配設される構造のものについて説明したが、これに限らず、スピーカユニット４がハウジング１の内部に収められているものであってもよい。
【００４３】
実施例は、次の技術思想に基づいて構成されていると言える。
図１及び図２に示されるように、本体部ＨＴは、ハウジング１と、ハウジング１の一面側に形成されイヤーピース６が着脱自在に装着される筒状の音筒部１ｂと、を有する。
スピーカユニット４は、音筒部１ｂに取り付けられている。このスピーカユニット４は、ハウジング１の内部に収容されるなどしてハウジング１に取り付けられてもよい。
ハウジング１の側面１ｓに設けられたコード導出部ＣＤからコード７が外方に導出される。コード７は、それをガイドするブッシング８で覆われていてもよい。
【００４４】
ここから図１０を参照して説明する。図１０は、ハウジング１の形状を説明するためにその他面側から見た模式図である。
Ａ）本体部ＨＴを音筒部１ｂが突出する側とは逆の側（他面側）から見たときに、ハウジング１は、コード導出部ＣＤを通り音筒部１ｂの中心線ＣＬ５（図１０の紙面に交わる線）と交わる第１の直線ＬＮ１に対する一方側（図１０のＰ１側）であって、中心線ＣＬ５と第１の直線ＬＮ１との交点ＫＴを通り第１の直線ＬＮ１に直交する第２の直線ＬＮ２に対してコード導出部ＣＤよりも遠い側（図１０のＴＲ側）に、交点ＫＴから遠ざかる方向に突出する第１の頂部Ａ３と、第１の直線ＬＮ１に対する他方側（図１０のＰ２側）であって、第２の直線ＬＮ２に対してコード導出部ＣＤよりも遠い側（図１０のＴＲ側）に、交点ＫＴから遠ざかる方向に突出する第２の頂部Ａ２と、を有する形状で形成されている。
【００４５】
Ｂ）また、Ａ）において、音筒部１ｂにイヤーピース６を装着し、イヤーピース６を外耳道内に挿入すると共に本体部ＨＴを耳甲介Ｅ３（図７参照）に装着した状態で、ハウジング１は、第１の頂部Ａ３または第２の頂部Ａ２が耳甲介Ｅ３における頭部後方側の内壁ＥＲ１に当接できるように形成されている。
【００４６】
Ｃ）また、Ａ）又はＢ）において、本体部ＨＴを他面側からみたときに、交点ＫＴから第１の頂部Ａ３の頂点ＡＰ３までの第１の距離ＫＲ３と、交点ＫＴから第２の頂部Ａ２の頂点ＡＰ２までの第２の距離ＫＲ２とが略等しくしてもよい。
【００４７】
Ｄ）また、Ａ）〜Ｃ）のいずれかにおいて、本体部ＨＴを他面側からみたときに、交点ＫＴと第１の頂部Ａ３の頂点ＡＰ３とを繋ぐ第１の線分ＳＢ３と第１の直線ＬＮ１とがなす角度αａと、交点ＫＴと第２の頂部Ａ３の頂点ＡＰ３とを繋ぐ第２の線分ＳＢ３と第１の直線ＬＮ１がなす角度αｂと、が略等しくてもよい。
【符号の説明】
【００４８】
１  ハウジング
１ａ  開放端部
１ｂ  音筒部
１ｓ  側面
２  オーナメント
３  メッシュ
４  スピーカユニット
５  ユニットホルダ
５ａ  小孔
５ｂ  縁部
６  イヤーピース
７  コード
７ａ  玉
８  ブッシング
５０  ヘッドホン
５１  ステレオヘッドホン
Ａ１，Ａ２，Ａ３  頂部
ＣＤ  コード導出部
ＣＬ１，ＣＬ２  中心線
ＣＴ  中心点
ＨＴ  本体部
ＬＮ１  第１の直線
ＬＮ２  第２の直線
ＫＴ  交点
Ｅ１：耳珠，Ｅ２：対珠，Ｅ３：耳甲介，Ｅ４：対耳輪脚，Ｅ５：外耳道，Ｅ６：珠間切痕，Ｅ７：耳輪
ＥＲ１  内壁
【図１】
2011101224.tif 000003
【図２】
2011101224.tif 000004
【図３】
2011101224.tif 000005
【図４】
2011101224.tif 000006
【図５】
2011101224.tif 000007
【図６】
2011101224.tif 000008
【図８】
2011101224.tif 000009
【図９】
2011101224.tif 000010
【図１０】
2011101224.tif 000011
【図７】
2011101224.tif 000012